(57)【要約】      （修正有）【課題】より利便性の高いＩＣカード用基材、及び嵌込ＩＣカードを提供する。【解決手段】ＩＣカード用基材２は、矩形状の本体と、ＩＣチップとコンタクトパターン６とを具備するＩＣカード５が装着される凹陥部４と、凹陥部４と前記本体の辺とに亘って設けられた溝部８Ａ〜Ｃとを具備する。溝部は、スロット内にコンタクトパターン６と接触する接触端子を備えるカードリーダライタに、ＩＣカード用基材２が挿入される際の、接触端子の軌道上に設けられている。【選択図】図１
2015225471.tif 000002
【特許請求の範囲】
【請求項１】
矩形状の本体と、
ＩＣチップとコンタクトパターンとを具備するＩＣカードが装着される凹陥部と、
前記凹陥部と前記本体の辺とに亘って設けられた溝部と、
を具備するＩＣカード用基材。
【請求項２】
前記溝部は、スロット内に前記コンタクトパターンと接触する接触端子を備えるカードリーダライタに前記ＩＣカード用基材が挿入される際の前記接触端子の軌道上に設けられている請求項１に記載のＩＣカード用基材。
【請求項３】
前記溝部は、前記凹陥部と同じ深さで設けられている請求項１または２に記載のＩＣカード用基材。
【請求項４】
前記本体は、矩形状の１つの角に設けられた切り欠き部を備え、
前記溝部は、前記切り欠き部が設けられていない短辺と前記凹陥部とに亘って設けられている請求項１乃至３のいずれか１項に記載のＩＣカード用基材。
【請求項５】
前記本体は、矩形状の１つの角に設けられた切り欠き部を備え、
前記溝部は、前記切り欠き部が設けられている短辺と前記凹陥部とに亘って設けられている請求項１乃至３のいずれか１項に記載のＩＣカード用基材。
【請求項６】
前記溝部は、前記矩形状の両短辺と前記凹陥部とに亘って設けられている請求項１乃至３のいずれか１項に記載のＩＣカード用基材。
【請求項７】
前記本体は、矩形状の１つの角に設けられた切り欠き部を備え、
前記溝部は、前記切り欠き部が設けられていない長辺と前記凹陥部とに亘って設けられている請求項１乃至３のいずれか１項に記載のＩＣカード用基材。
【請求項８】
前記本体は、矩形状の１つの角に設けられた切り欠き部を備え、
前記溝部は、前記切り欠き部が設けられている長辺と前記凹陥部とに亘って設けられている請求項１乃至３のいずれか１項に記載のＩＣカード用基材。
【請求項９】
前記溝部は、前記矩形状の両長辺と前記凹陥部とに亘って設けられている請求項１乃至３のいずれか１項に記載のＩＣカード用基材。
【請求項１０】
前記溝部は、前記矩形状の両長辺と前記凹陥部との間と、前記矩形状の両短辺と前記凹陥部との間と、に亘って設けられている請求項１乃至３のいずれか１項に記載のＩＣカード用基材。
【請求項１１】
矩形状の本体と、
ＩＣチップとコンタクトパターンとを具備するＩＣカードと、
前記ＩＣカードが装着された凹陥部と、
前記凹陥部と前記本体の辺とに亘って設けられた溝部と、
を具備する嵌込ＩＣカード。
【発明の詳細な説明】
【技術分野】
【０００１】
本発明の実施形態は、ＩＣカード用基材、及び嵌込ＩＣカードに関する。
【背景技術】
【０００２】
一般的に、携帯可能電子装置として用いられるＩＣカードは、プラスチックなどで形成されたカード状の本体と本体に埋め込まれたＩＣモジュールとを備えている。ＩＣモジュールは、ＩＣチップとコンタクトパターンとを有している。ＩＣチップは、電源が無い状態でもデータを保持することができる不揮発性メモリと、種々の演算を実行するＣＰＵとを有している。コンタクトパターンは、ＩＣカードを処理する端末装置のカードリーダライタが有する接触端子とＩＣチップとを電気的に接続する為のインターフェースである。
【０００３】
また、ＩＣカードは、例えば、携帯電話などの端末装置に挿入されて使用されるＳｕｂｓｃｒｉｂｅｒ  Ｉｄｅｎｔｉｔｙ  Ｍｏｄｕｌｅ（ＳＩＭ）カード、またはＵｓｅｒ  Ｉｄｅｎｔｉｆｙ  Ｍｏｄｕｌｅ（ＵＩＭ）カードなどがある。例えば、「ＥＴＳＩ  ＴＳ  １０２  ２２１」では、「Ｐｌｕｇ−ｉｎ  Ｕｎｉｖｅｒｓａｌ  Ｉｎｔｅｇｒａｔｅｄ  Ｃｉｒｃｕｉｔ  Ｃａｒｄ（ＵＩＣＣ）」、「Ｍｉｎｉ−ＵＩＣＣ」、及び「Ｆｏｕｒｔｈ  Ｆｏｒｍ  Ｆａｃｔｏｒ（４ＦＦ）」などの形状が規定されている。端末装置に挿入可能なＩＣカードの形状は、端末装置の仕様により定められている。例えば、端末装置の仕様とは異なる形状のＩＣカードを端末装置に挿入する為に、ＩＣカードをより大きな他の形状のＩＣカードに変換する為のアダプタ（ＩＣカード用基材）がある。
【０００４】
上記のようなＩＣカード用基材は、ＩＣカードが装着される為に設けられた凹みを有する。しかし、ＩＣカード用基材にＩＣカードが装着されていない状態でＩＣカード用基材が端末装置に挿入された場合、端末装置のカードリーダライタが有する接触端子がＩＣカード用基材の凹みに引っ掛かり、ＩＣカード用基材を端末装置から取り出せない可能性があるという課題がある。
【先行技術文献】
【特許文献】
【０００５】
【特許文献１】特開２００６−２６９３７６号公報
【発明の概要】
【発明が解決しようとする課題】
【０００６】
そこで、より利便性の高いＩＣカード用基材、及び嵌込ＩＣカードを提供する。
【課題を解決するための手段】
【０００７】
一実施形態に係るＩＣカード用基材は、矩形状の本体と、ＩＣチップとコンタクトパターンとを具備するＩＣカードが装着される凹陥部と、前記凹陥部と前記本体の辺とに亘って設けられた溝部と、を具備する。
【図面の簡単な説明】
【０００８】
【図１】図１は、一実施形態に係る嵌込ＩＣカードの例について説明するための図である。
【図２】図２は、一実施形態に係るＩＣカード用基材の例について説明するための図である。
【図３】図３は、一実施形態に係るＩＣカード用基材の例について説明するための図である。
【図４】図４は、一実施形態に係るＩＣカード用基材の例について説明するための図である。
【図５】図５は、一実施形態に係る嵌込ＩＣカードの他の例について説明するための図である。
【図６】図６は、一実施形態に係るＩＣカード用基材の他の例について説明するための図である。
【図７】図７は、一実施形態に係る嵌込ＩＣカードの他の例について説明するための図である。
【図８】図８は、一実施形態に係るＩＣカード用基材の他の例について説明するための図である。
【図９】図９は、一実施形態に係るＩＣカード用基材の他の例について説明するための図である。
【図１０】図１０は、一実施形態に係るＩＣカード用基材の他の例について説明するための図である。
【図１１】図１１は、一実施形態に係るＩＣカード用基材の他の例について説明するための図である。
【図１２】図１２は、一実施形態に係るＩＣカード用基材の他の例について説明するための図である。
【発明を実施するための形態】
【０００９】
以下、図面を参照しながら、一実施形態に係るＩＣカード用基材、及び嵌込ＩＣカードについて詳細に説明する。
【００１０】
図１は、一実施形態に係る嵌込ＩＣカード１の例を示す。また、図２乃至図４は、ＩＣカード用基材２の例を示す。なお、図２は、ＩＣカード用基材２の構成の例を示す。図３は、ＩＣカード用基材２の例を示す斜視図である。図４は、ＩＣカード用基材２を図２に示されたＡＡ線で切断した場合の例を示す断面図である。
【００１１】
嵌込ＩＣカード１は、ＩＣカード用基材２にＩＣカード５が嵌め込まれて製造される。
【００１２】
ＩＣカード用基材２は、例えばプラスチックなどの材料により形成された矩形状の基材である。ＩＣカード用基材２は、図２及び図３に示されるように、カードの挿入方向などをユーザに認識させるための切り欠き部３と、異なる形状に変換されるＩＣカード５が嵌め込まれる凹陥部４と、を備える。なお、凹陥部４は、例えば、射出成型などの加工法により形成される。切り欠き部３は、図１に示されるように、矩形状のＩＣカード用基材２の１つの角が他の角に比べてより深く欠けるように形成されている。凹陥部４には、ＩＣカード５が嵌め込まれる。凹陥部４は、嵌め込まれたＩＣカード５が脱落せず固定することができるような形状でＩＣカード用基材２上に形成される。
【００１３】
ＩＣカード５は、ＩＣチップ（ＬＳＩ）と、コンタクトパターン６と、を含むＩＣモジュールが例えばプラスチックなどの材料により形成された矩形状の基材に嵌め込まれて製造される。ＩＣチップは、ＣＰＵ、ＲＯＭ、ＲＡＭ、不揮発性メモリ、電源部、コプロセッサ、及び通信部などを備える。
【００１４】
ＣＰＵは、種々の演算を行う演算素子である。ＣＰＵは、ＲＯＭあるいは不揮発性メモリに記憶されている制御プログラム及び制御データに基づいて種々の処理を行う。ＲＯＭは、予め制御用のプログラム及び制御データなどを記憶する不揮発性のメモリである。ＲＡＭは、ワーキングメモリとして機能する揮発性のメモリである。ＲＡＭは、ＣＰＵの処理中のデータなどを一時的に格納する。不揮発性メモリは、例えば、ＥＥＰＲＯＭなどのデータの書き込み及び書き換えが可能なメモリを備える。不揮発性メモリは、例えば、制御用のプログラム、制御データ、アプリケーション、個人情報、暗号鍵などのセキュリティ情報、及びアプリケーションに用いられるデータなどを記憶する。
【００１５】
コンタクトパターン６は、導電性を有する金属などによりＩＣカード５の表面に形成される接触端子である。即ち、コンタクトパターン６は、端末装置と接触可能な状態で形成されている。コンタクトパターン６は、金属により形成される面が複数のセルに区切られて形成される。区切られた各セルは、それぞれＩＣカード５の端子として機能する。即ち、ＩＣカード５は、コンタクトパターン６を介して端末装置のカードリーダライタと電気的に接続される。
【００１６】
端末装置のカードリーダライタは、嵌込ＩＣカード１と通信を行うことができる。カードリーダライタは、接触通信により嵌込ＩＣカード１とデータの送受信を行う。
【００１７】
例えば、カードリーダライタは、嵌込ＩＣカード１が装着されるスロットと、嵌込ＩＣカード１が備えるコンタクトパターンと接続される複数の接触端子を備える。
【００１８】
スロットに嵌込ＩＣカード１が装着される場合、カードリーダライタの複数の接触端子は、嵌込ＩＣカード１のコンタクトパターンに接触するように設けられている。これにより、端末装置と嵌込ＩＣカード１とは電気的に接続される。カードリーダライタは、スロットに装着される嵌込ＩＣカード１に対して、電力の供給、クロックの供給、リセット信号の入力、及びデータの送受信などを行う。
【００１９】
なお、嵌込ＩＣカード１またはＩＣカード用基材２の形状、及びコンタクトパターン６の位置は、上記したようなＥＴＳＩ  ＴＳ  １０２  ２２１で規定されている。ＥＴＳＩ  ＴＳ  １０２  ２２１では、「Ｐｌｕｇ−ｉｎ  ＵＩＣＣ」、「Ｍｉｎｉ−ＵＩＣＣ」、または「４ＦＦ」などの各規格毎に、コンタクトパターン６が設けられるべき接触領域７の位置が既定されている。例えば、接触領域７は、嵌込ＩＣカード１の基準点Ｒからの長さで位置が既定されている。嵌込ＩＣカード１のコンタクトパターン６は、少なくとも接触領域７を覆うように設けられている。
【００２０】
また、カードリーダライタの複数の接触端子は、嵌込ＩＣカード１がカードリーダライタのスロットに挿入された場合に接触領域７内に位置するように設けられている。また、嵌込ＩＣカード１のコンタクトパターン６は、嵌込ＩＣカード１の基準点がカードリーダライタのスロットに挿入された場合に接触領域７内に位置するように設けられている。
【００２１】
また、嵌込ＩＣカード１がカードリーダライタに挿入される際に、ＩＣカード用基材２上のカードリーダライタの複数の接触端子と接触することが想定される範囲に溝部８が設けられている。
【００２２】
基準点Ｒは、嵌込ＩＣカード１の切り欠き部３が設けられていない２辺の交点である。即ち、基準点Ｒは、ＩＣカード用基材２上の切り欠き部３が設けられていない短辺９の延長線と長辺１０の延長線との交点である。
【００２３】
例えば、図１に示されたＩＣカード用基材２は、「４ＦＦ」を準拠したＩＣカード５を「Ｐｌｕｇ−ｉｎ  ＵＩＣＣ」を準拠した形状に変換する為のアダプタである。この場合、「４ＦＦ」を準拠したＩＣカード５は、６個のセルが形成されたコンタクトパターンを有する。「４ＦＦ」から「Ｐｌｕｇ−ｉｎ  ＵＩＣＣ」に変換するＩＣカード用基材２は、ＩＣカード５がＩＣカード用基材２に嵌め込まれた場合にコンタクトパターン６の位置が「Ｐｌｕｇ−ｉｎ  ＵＩＣＣ」を準拠する位置に「４ＦＦ」を準拠した形状の凹陥部４が形成されている。
【００２４】
「Ｐｌｕｇ−ｉｎ  ＵＩＣＣ」では、接触領域７Ａ、７Ｂ、７Ｃ、７Ｄ、７Ｅ、及び７Ｆなどが既定されている。なお、接触領域７Ａ、７Ｂ、７Ｃ、７Ｄ、７Ｅ、及び７Ｆなどを区別する必要が無い場合、接触領域７と称する。「Ｐｌｕｇ−ｉｎ  ＵＩＣＣ」では、図１のｘ１の長さが「２．７５ｍｍ」、ｘ２の長さが「４．４５ｍｍ」、ｘ３の長さが「５．２９ｍｍ」、ｘ４の長さが「６．９９ｍｍ」、ｘ５の長さが「７．８３ｍｍ」、ｘ６の長さが「９．５３ｍｍ」、ｙ１の長さが「４．００ｍｍ」、ｙ２の長さが「６．００ｍｍ」、ｙ１の長さが「１１．６２ｍｍ」、ｙ１の長さが「１３．６２ｍｍ」、としてそれぞれ規定されている。
【００２５】
即ち、接触領域７Ａは、基準点Ｒから短辺９の方向に「２．７５ｍｍ〜４．４５ｍｍ」、基準点Ｒから長辺１０の方向に「４．００ｍｍ〜６．００ｍｍ」の位置に設けられている。接触領域７Ｂは、基準点Ｒから短辺９の方向に「２．７５ｍｍ〜４．４５ｍｍ」、基準点Ｒから長辺１０の方向に「１１．６２ｍｍ〜１３．６２ｍｍ」の位置に設けられている。接触領域７Ｃは、基準点Ｒから短辺９の方向に「５．２９ｍｍ〜６．９９ｍｍ」、基準点Ｒから長辺１０の方向に「４．００ｍｍ〜６．００ｍｍ」の位置に設けられている。接触領域７Ｄは、基準点Ｒから短辺９の方向に「５．２９ｍｍ〜６．９９ｍｍ」、基準点Ｒから長辺１０の方向に「１１．６２ｍｍ〜１３．６２ｍｍ」の位置に設けられている。接触領域７Ｅは、基準点Ｒから短辺９の方向に「７．８３ｍｍ〜９．５３ｍｍ」、基準点Ｒから長辺１０の方向に「４．００ｍｍ〜６．００ｍｍ」の位置に設けられている。接触領域７Ｆは、基準点Ｒから短辺９の方向に「７．８３ｍｍ〜９．５３ｍｍ」、基準点Ｒから長辺１０の方向に「１１．６２ｍｍ〜１３．６２ｍｍ」の位置に設けられている。
【００２６】
溝部８は、凹陥部４からＩＣカード用基材２の短辺または長辺に亘って設けられている。なお、上記したように、溝部８は、嵌込ＩＣカード１がカードリーダライタに挿入される際に、ＩＣカード用基材２上のカードリーダライタの複数の接触端子と接触することが想定される範囲に設けられている。即ち、溝部８は、例えば嵌込ＩＣカード１が切り欠き部３を後端として長辺方向に挿入される構成である場合、ＩＣカード用基材２上の切り欠き部３が設けられていない短辺９と、凹陥部４との間に設けられる。
【００２７】
溝部８は、嵌込ＩＣカード１がカードリーダライタに挿入される際に、接触領域７と重なる範囲に設けられている。図１の例では、ＩＣカード用基材２は、溝部８Ａ、８Ｂ、及び８Ｃを備える。なお、溝部８Ａ、８Ｂ、及び８Ｃなどを区別する必要が無い場合、溝部８と称する。溝部８Ａは、基準点Ｒから短辺９の方向に「２．７５ｍｍ〜４．４５ｍｍ」の範囲で設けられている。溝部８Ｂは、基準点Ｒから短辺９の方向に「５．２９ｍｍ〜６．９９ｍｍ」の範囲で設けられている。溝部８Ｃは、基準点Ｒから短辺９の方向に「７．８３ｍｍ〜９．５３ｍｍ」の範囲で設けられている。
【００２８】
図２及び図３は、ＩＣカード５が嵌め込まれていない場合のＩＣカード用基材２の例を示す。また、図４は、ＩＣカード用基材２を図２に示されたＡＡ線で切断した場合の例を示す断面図である。
【００２９】
図２及び図４に示されるように、溝部８Ａ、８Ｂ、及び８Ｃは、それぞれ凹陥部４と同じ深さで形成される。このように溝部８Ａ、８Ｂ、及び８Ｃがそれぞれ凹陥部４と同じ深さで形成される場合、ＩＣカード用基材２上で端末装置のカードリーダライタの接触端子が引っ掛かる部分が存在しない。
【００３０】
なお、ＩＣカード用基材２は、溝部８Ａ、８Ｂ、及び８Ｃが連結されて一つの溝として形成されている構成であってもよい。また、ＩＣカード用基材２は、溝部８Ａ、８Ｂ、及び８Ｃが一つの溝として形成されている場合、溝部８Ａ、８Ｂ、及び８Ｃが打ち抜かれて形成されていてもよい。
【００３１】
上記したように、ＩＣカード用基材２は、ＩＣカード用基材２がカードリーダライタのスロットに挿入される際にカードリーダライタの接触端子と接触することが想定される接触領域７の軌道上に設けられた溝部８を備える。このような構成によると、ＩＣカード用基材２にＩＣカード５が装着されていない状態でＩＣカード用基材２が端末装置のスロットに挿入された場合であっても、端末装置のカードリーダライタが有する接触端子がＩＣカード用基材２の凹みに接触しない。これにより、ＩＣカード用基材２をスロットから容易に取り出すことができる。この結果、より利便性の高いＩＣカード用基材、及び嵌込ＩＣカードを提供することができる。
【００３２】
図５は、嵌込ＩＣカード１の他の例を示す。また、図６は、ＩＣカード用基材２の他の例を示す。図５及び図６の例は、図１乃至４の例と、凹陥部４の形状、ＩＣカード５の形状、コンタクトパターン６の位置、接触領域７の位置、及び溝部８の位置が異なる構成である。この為、図５及び図６の例では、図１乃至４の例と、各部に同じ参照符号を付し、図１乃至４の例と異なる点について説明する。
【００３３】
図５及び図６の例のＩＣカード用基材２は、「ｍｉｎｉ−ＵＩＣＣ」を準拠したＩＣカード５を「Ｐｌｕｇ−ｉｎ  ＵＩＣＣ」を準拠した形状に変換する為のアダプタである。この場合、「ｍｉｎｉ−ＵＩＣＣ」を準拠したＩＣカード５は、８個のセルが形成されたコンタクトパターンを有する。「ｍｉｎｉ−ＵＩＣＣ」から「Ｐｌｕｇ−ｉｎ  ＵＩＣＣ」に変換するＩＣカード用基材２は、ＩＣカード５がＩＣカード用基材２に嵌め込まれた場合にコンタクトパターン６の位置が「Ｐｌｕｇ−ｉｎ  ＵＩＣＣ」を準拠する位置に「ｍｉｎｉ−ＵＩＣＣ」を準拠した形状の凹陥部４が形成されている。
【００３４】
「Ｐｌｕｇ−ｉｎ  ＵＩＣＣ」では、接触領域７Ａ、７Ｂ、７Ｃ、７Ｄ、７Ｅ、及び７Ｆに加えてさらに接触領域７Ｈ及び７Ｉなどが既定されている。「Ｐｌｕｇ−ｉｎ  ＵＩＣＣ」では、図５のｘ１の長さが「２．７５ｍｍ」、ｘ２の長さが「４．４５ｍｍ」、ｘ３の長さが「５．２９ｍｍ」、ｘ４の長さが「６．９９ｍｍ」、ｘ５の長さが「７．８３ｍｍ」、ｘ６の長さが「９．５３ｍｍ」、ｘ７の長さが「１０．３７ｍｍ」、ｘ８の長さが「１２．０７ｍｍ」、ｙ１の長さが「４．００ｍｍ」、ｙ２の長さが「６．００ｍｍ」、ｙ３の長さが「１１．６２ｍｍ」、ｙ４の長さが「１３．６２ｍｍ」、としてそれぞれ規定されている。
【００３５】
即ち、接触領域７Ａは、基準点Ｒから短辺９の方向に「２．７５ｍｍ〜４．４５ｍｍ」、基準点Ｒから長辺１０の方向に「４．００ｍｍ〜６．００ｍｍ」の位置に設けられている。接触領域７Ｂは、基準点Ｒから短辺９の方向に「２．７５ｍｍ〜４．４５ｍｍ」、基準点Ｒから長辺１０の方向に「１１．６２ｍｍ〜１３．６２ｍｍ」の位置に設けられている。接触領域７Ｃは、基準点Ｒから短辺９の方向に「５．２９ｍｍ〜６．９９ｍｍ」、基準点Ｒから長辺１０の方向に「４．００ｍｍ〜６．００ｍｍ」の位置に設けられている。接触領域７Ｄは、基準点Ｒから短辺９の方向に「５．２９ｍｍ〜６．９９ｍｍ」、基準点Ｒから長辺１０の方向に「１１．６２ｍｍ〜１３．６２ｍｍ」の位置に設けられている。接触領域７Ｅは、基準点Ｒから短辺９の方向に「７．８３ｍｍ〜９．５３ｍｍ」、基準点Ｒから長辺１０の方向に「４．００ｍｍ〜６．００ｍｍ」の位置に設けられている。接触領域７Ｆは、基準点Ｒから短辺９の方向に「７．８３ｍｍ〜９．５３ｍｍ」、基準点Ｒから長辺１０の方向に「１１．６２ｍｍ〜１３．６２ｍｍ」の位置に設けられている。接触領域７Ｈは、基準点Ｒから短辺９の方向に「１１．６２ｍｍ〜１３．６２ｍｍ」、基準点Ｒから長辺１０の方向に「４．００ｍｍ〜６．００ｍｍ」の位置に設けられている。接触領域７Ｉは、基準点Ｒから短辺９の方向に「１１．６２ｍｍ〜１３．６２ｍｍ」、基準点Ｒから長辺１０の方向に「１１．６２ｍｍ〜１３．６２ｍｍ」の位置に設けられている。
【００３６】
溝部８は、凹陥部４からＩＣカード用基材２の短辺または長辺に亘って設けられている。なお、上記したように、溝部８は、嵌込ＩＣカード１がカードリーダライタに挿入される際に、ＩＣカード用基材２上のカードリーダライタの複数の接触端子と接触することが想定される範囲に設けられている。即ち、溝部８は、例えば嵌込ＩＣカード１が切り欠き部３を後端として長辺方向に挿入される構成である場合、ＩＣカード用基材２上の切り欠き部３が設けられていない短辺９と、凹陥部４との間に設けられる。
【００３７】
溝部８は、嵌込ＩＣカード１がカードリーダライタに挿入される際に、接触領域７と重なる範囲に設けられている。図５及び図６の例では、ＩＣカード用基材２は、溝部８Ａ、８Ｂ、８Ｃ、及び８Ｄを備える。溝部８Ａは、基準点Ｒから短辺９の方向に「２．７５ｍｍ〜４．４５ｍｍ」の範囲で設けられている。溝部８Ｂは、基準点Ｒから短辺９の方向に「５．２９ｍｍ〜６．９９ｍｍ」の範囲で設けられている。溝部８Ｃは、基準点Ｒから短辺９の方向に「７．８３ｍｍ〜９．５３ｍｍ」の範囲で設けられている。溝部８Ｄは、基準点Ｒから短辺９の方向に「１０．３７ｍｍ〜１２．０７ｍｍ」の範囲で設けられている。
【００３８】
図１乃至４の例と同様に、溝部８Ａ、８Ｂ、８Ｃ、及び８Ｄは、それぞれ凹陥部４と同じ深さで形成される。このように溝部８Ａ、８Ｂ、８Ｃ、及び８Ｄがそれぞれ凹陥部４と同じ深さで形成される場合、ＩＣカード用基材２上で端末装置のカードリーダライタの接触端子が引っ掛かる部分が存在しない。
【００３９】
なお、ＩＣカード用基材２は、溝部８Ａ、８Ｂ、８Ｃ、及び８Ｄが連結されて一つの溝として形成されている構成であってもよい。また、ＩＣカード用基材２は、溝部８Ａ、８Ｂ、８Ｃ、及び８Ｄが一つの溝として形成されている場合、溝部８Ａ、８Ｂ、８Ｃ、及び８Ｄが打ち抜かれて形成されていてもよい。
【００４０】
上記した構成によっても、ＩＣカード用基材２は、ＩＣカード用基材２がカードリーダライタのスロットに挿入される際にカードリーダライタの接触端子と接触することが想定される接触領域７の軌道上に設けられた溝部８を備える。この為、端末装置のカードリーダライタが有する接触端子がＩＣカード用基材２の凹みに接触せず、ＩＣカード用基材２をスロットから容易に取り出すことができる。この結果、より利便性の高いＩＣカード用基材、及び嵌込ＩＣカードを提供することができる。
【００４１】
図７は、嵌込ＩＣカード１の他の例を示す。また、図８は、ＩＣカード用基材２の他の例を示す。図７及び図８の例は、図１乃至４、並びに図５及び図６の例と、ＩＣカード用基材２の形状、凹陥部４の形状、ＩＣカード５の形状、コンタクトパターン６の位置、接触領域７の位置、及び溝部８の位置が異なる構成である。この為、図７及び図８の例では、図１乃至４、並びに図５及び図６の例と、各部に同じ参照符号を付し、図１乃至４、並びに図５及び図６の例と異なる点について説明する。
【００４２】
図７及び図８の例のＩＣカード用基材２は、「４ＦＦ」を準拠したＩＣカード５を「ｍｉｎｉ−ＵＩＣＣ」を準拠した形状に変換する為のアダプタである。この場合、「４ＦＦ」を準拠したＩＣカード５は、６個のセルが形成されたコンタクトパターンを有する。「４ＦＦ」から「ｍｉｎｉ−ＵＩＣＣ」に変換するＩＣカード用基材２は、ＩＣカード５がＩＣカード用基材２に嵌め込まれた場合にコンタクトパターン６の位置が「ｍｉｎｉ−ＵＩＣＣ」を準拠する位置に「４ＦＦ」を準拠した形状の凹陥部４が形成されている。
【００４３】
「ｍｉｎｉ−ＵＩＣＣ」では、接触領域７Ｊ、７Ｋ、７Ｌ、７Ｍ、７Ｎ、及び７Ｏなどが既定されている。「ｍｉｎｉ−ＵＩＣＣ」では、図７のｘ１１の長さが「１．３４ｍｍ」、ｘ１２の長さが「３．０４ｍｍ」、ｘ１３の長さが「３．８８ｍｍ」、ｘ１４の長さが「５．５８ｍｍ」、ｘ１５の長さが「６．４２ｍｍ」、ｘ１６の長さが「８．１２ｍｍ」、ｙ１１の長さが「２．１５ｍｍ」、ｙ１２の長さが「４．１５ｍｍ」、ｙ１３の長さが「９．７７ｍｍ」、ｙ１４の長さが「１１．７７ｍｍ」、としてそれぞれ規定されている。
【００４４】
即ち、接触領域７Ｊは、基準点Ｒから短辺９の方向に「１．３４ｍｍ〜３．０４ｍｍ」、基準点Ｒから長辺１０の方向に「２．１５ｍｍ〜４．１５ｍｍ」の位置に設けられている。接触領域７Ｋは、基準点Ｒから短辺９の方向に「１．３４ｍｍ〜３．０４ｍｍ」、基準点Ｒから長辺１０の方向に「９．７７ｍｍ〜１１．７７ｍｍ」の位置に設けられている。接触領域７Ｌは、基準点Ｒから短辺９の方向に「３．８８ｍｍ〜５．５８ｍｍ」、基準点Ｒから長辺１０の方向に「２．１５ｍｍ〜４．１５ｍｍ」の位置に設けられている。接触領域７Ｍは、基準点Ｒから短辺９の方向に「３．８８ｍｍ〜５．５８ｍｍ」、基準点Ｒから長辺１０の方向に「９．７７ｍｍ〜１１．７７ｍｍ」の位置に設けられている。接触領域７Ｎは、基準点Ｒから短辺９の方向に「６．４２ｍｍ〜８．１２ｍｍ」、基準点Ｒから長辺１０の方向に「２．１５ｍｍ〜４．１５ｍｍ」の位置に設けられている。接触領域７Ｏは、基準点Ｒから短辺９の方向に「７．８３ｍｍ〜９．５３ｍｍ」、基準点Ｒから長辺１０の方向に「９．７７ｍｍ〜１１．７７ｍｍ」の位置に設けられている。
【００４５】
溝部８は、凹陥部４からＩＣカード用基材２の短辺または長辺に亘って設けられている。なお、上記したように、溝部８は、嵌込ＩＣカード１がカードリーダライタに挿入される際に、ＩＣカード用基材２上のカードリーダライタの複数の接触端子と接触することが想定される範囲に設けられている。即ち、溝部８は、例えば嵌込ＩＣカード１が切り欠き部３を後端として長辺方向に挿入される構成である場合、ＩＣカード用基材２上の切り欠き部３が設けられていない短辺９と、凹陥部４との間に設けられる。
【００４６】
溝部８は、嵌込ＩＣカード１がカードリーダライタに挿入される際に、接触領域７と重なる範囲に設けられている。図７及び図８の例では、ＩＣカード用基材２は、溝部８Ｅ、８Ｆ、及び８Ｇを備える。溝部８Ｅは、基準点Ｒから短辺９の方向に「１．３４ｍｍ〜３．０４ｍｍ」の範囲で設けられている。溝部８Ｆは、基準点Ｒから短辺９の方向に「３．８８ｍｍ〜５．５８ｍｍ」の範囲で設けられている。溝部８Ｇは、基準点Ｒから短辺９の方向に「６．４２ｍｍ〜８．１２ｍｍ」の範囲で設けられている。
【００４７】
図１乃至４の例と同様に、溝部８Ｅ、８Ｆ、及び８Ｇは、それぞれ凹陥部４と同じ深さで形成される。このように溝部８Ｅ、８Ｆ、及び８Ｇがそれぞれ凹陥部４と同じ深さで形成される場合、ＩＣカード用基材２上で端末装置のカードリーダライタの接触端子が引っ掛かる部分が存在しない。
【００４８】
なお、ＩＣカード用基材２は、溝部８Ｅ、８Ｆ、及び８Ｇが連結されて一つの溝として形成されている構成であってもよい。また、ＩＣカード用基材２は、溝部８Ｅ、８Ｆ、及び８Ｇが一つの溝として形成されている場合、溝部８Ｅ、８Ｆ、及び８Ｇが打ち抜かれて形成されていてもよい。
【００４９】
上記した構成によっても、ＩＣカード用基材２は、ＩＣカード用基材２がカードリーダライタのスロットに挿入される際にカードリーダライタの接触端子と接触することが想定される接触領域７の軌道上に設けられた溝部８を備える。この為、端末装置のカードリーダライタが有する接触端子がＩＣカード用基材２の凹みに接触せず、ＩＣカード用基材２をスロットから容易に取り出すことができる。この結果、より利便性の高いＩＣカード用基材、及び嵌込ＩＣカードを提供することができる。
【００５０】
なお、上記の実施形態では、嵌込ＩＣカード１が切り欠き部３を後端として長辺方向に挿入される構成である場合のＩＣカード用基材２の構成の例について説明した。しかし、嵌込ＩＣカード１の挿入方向は、切り欠き部３を先頭にする場合、切り欠き部３を後端にする場合、長辺方向に挿入される場合、または短辺方向に挿入される場合などがある。
【００５１】
例えば、嵌込ＩＣカード１が切り欠き部３を先頭として長辺方向に挿入される構成である場合、ＩＣカード用基材２は、図９に示されるように構成される。
【００５２】
図９の例では、溝部８は、凹陥部４からＩＣカード用基材２の短辺９に亘って設けられている。溝部８は、嵌込ＩＣカード１がカードリーダライタに挿入される際に、ＩＣカード用基材２上のカードリーダライタの複数の接触端子と接触することが想定される範囲に設けられている必要がある。この場合、各溝部８は、ＩＣカード用基材２上の切り欠き部３が設けられている短辺９と、凹陥部４との間に設けられる。
【００５３】
また例えば、嵌込ＩＣカード１が切り欠き部３を先頭として長辺方向に挿入される構成であるか、切り欠き部３を後端として長辺方向に挿入される構成であるかが不明である場合、ＩＣカード用基材２は、図１０に示されるように構成される。
【００５４】
図１０の例では、溝部８は、凹陥部４からＩＣカード用基材２の両方の短辺９に亘って設けられている。即ち、溝部８は、ＩＣカード用基材２上の切り欠き部３が設けられている短辺９と凹陥部４との間と、ＩＣカード用基材２上の切り欠き部３が設けられていない短辺９と凹陥部４との間と、に設けられる。
【００５５】
また例えば、嵌込ＩＣカード１が切り欠き部３を先頭として短辺方向に挿入される構成であるか、切り欠き部３を後端として短辺方向に挿入される構成であるかが不明である場合、ＩＣカード用基材２は、図１１に示されるように構成される。
【００５６】
図１１の例では、溝部８は、凹陥部４からＩＣカード用基材２の両方の長辺１０に亘って設けられている。即ち、溝部８は、ＩＣカード用基材２上の切り欠き部３が設けられている長辺１０と凹陥部４との間と、ＩＣカード用基材２上の切り欠き部３が設けられていない長辺１０と凹陥部４との間と、に設けられる。
【００５７】
またさらに、嵌込ＩＣカード１が切り欠き部３を先頭するのか後端とするのかが不明であり、且つ、嵌込ＩＣカード１が短辺方向に挿入されるのか長辺方向に挿入されるのかが不明である場合、ＩＣカード用基材２は、図１２に示されるように構成される。
【００５８】
図１２の例では、溝部８は、凹陥部４からＩＣカード用基材２の両方の短辺９に亘って設けられている。即ち、溝部８は、ＩＣカード用基材２上の切り欠き部３が設けられている短辺９と凹陥部４との間と、ＩＣカード用基材２上の切り欠き部３が設けられていない短辺９と凹陥部４との間と、に設けられる。さらに、溝部８は、凹陥部４からＩＣカード用基材２の両方の長辺１０に亘って設けられている。即ち、溝部８は、ＩＣカード用基材２上の切り欠き部３が設けられている長辺１０と凹陥部４との間と、ＩＣカード用基材２上の切り欠き部３が設けられていない長辺１０と凹陥部４との間と、に設けられる。
【００５９】
上記したように、溝部８の位置は、嵌込ＩＣカード１の挿入方向に応じて配置されるものである。さらに、凹陥部４からＩＣカード用基材２の両方の長辺１０、または両方の短辺９に亘って溝部８が設けられている場合、嵌込ＩＣカード１の挿入方向がどのような方向であっても、端末装置のカードリーダライタが有する接触端子がＩＣカード用基材２に接触しないようにＩＣカード用基材２をスロットから容易に取り出すことができる。この結果、より利便性の高いＩＣカード用基材、及び嵌込ＩＣカードを提供することができる。
【００６０】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１…嵌込ＩＣカード、２…ＩＣカード用基材、３…欠き部、４…凹陥部、５…ＩＣカード、６…コンタクトパターン、７…接触領域、８…溝部、９…短辺、１０…長辺。
【図１】
2015225471.tif 000003
【図２】
2015225471.tif 000004
【図３】
2015225471.tif 000005
【図４】
2015225471.tif 000006
【図５】
2015225471.tif 000007
【図６】
2015225471.tif 000008
【図７】
2015225471.tif 000009
【図８】
2015225471.tif 000010
【図９】
2015225471.tif 000011
【図１０】
2015225471.tif 000012
【図１１】
2015225471.tif 000013
【図１２】
2015225471.tif 000014